(57)【要約】【課題】上部容器と下部容器との間の摺動性を確保しながら、相互間のガタつきを抑える。【解決手段】冷蔵庫本体３に設けられる野菜室７と、野菜室７に配置される下部野菜ボックス４３と、下部野菜ボックス４３の上に前後方向に移動自在に載せられる上部野菜ボックス４５とを有する。下部野菜ボックス４３は、上部野菜ボックス４５が下部野菜ボックス４３に対し前後方向の基準位置にあるときに、上部野菜ボックス４５を左右両側から挟持する挟持リブ７９を備えている。【選択図】図１２
2018204931.tif 000002
【特許請求の範囲】
【請求項１】
冷蔵庫本体に設けられる貯蔵室と、
前記貯蔵室に配置される下部容器と、
前記下部容器の上に前後方向に移動自在に載せられる上部容器と、を有し、
前記下部容器は、前記上部容器が前記下部容器に対し前後方向の基準位置にあるときに、
前記上部容器を左右両側から挟持する挟持部を備えていることを特徴とする冷蔵庫。
【請求項２】
前記挟持部と、当該挟持部に挟持される前記上部容器の左右両側の被挟持部との少なくともいずれか一方は、前側から後側に向かうに従って外側に拡がっていることを特徴とする請求項１に記載の冷蔵庫。
【請求項３】
前記挟持部は、前記下部容器の側壁の上部に一体化して形成されていることを特徴とする請求項１または２に記載の冷蔵庫。
【請求項４】
前記上部容器は、前記下部容器の上に載せた状態で下部が、前記下部容器の上方開口部から内部に入り込み、前記下部容器の内部に入り込んだ部分の前記上部容器の下部の左右方向の幅は、前記下部容器の上方開口部の左右方向の幅より小さいことを特徴とする請求項１ないし３のいずれか１項に記載の冷蔵庫。
【発明の詳細な説明】
【技術分野】
【０００１】
本発明は、貯蔵室に配置する下部容器の上に上部容器が載せられる冷蔵庫に関する。
【背景技術】
【０００２】
特許文献１には、冷蔵庫の野菜室に野菜等の食品を収納する容器が設けられ、容器の開口した上部に比較的底の浅い小ケースを、前後方向に摺動可能に載置することが開示されている。野菜室の前面には引出扉が設けられ、引出扉に容器が保持されている。
【先行技術文献】
【特許文献】
【０００３】
【特許文献１】特開２００８−４５８４５号公報
【発明の概要】
【発明が解決しようとする課題】
【０００４】
ところで、野菜室の下部に位置する容器及び上部に位置する小ケースは、互いの摺動性確保や、部品の製造管理のために相互間にある程度のクリアランスが必要となっている。ところが、クリアランスが大きいと、引出扉を冷蔵庫本体に対して出し入れする際に、容器と小ケースとの間でガタつきが大きくなる。
【０００５】
そこで本発明は、上部容器と下部容器との間の摺動性を確保しながら、相互間のガタつきを抑えることを目的としている。
【課題を解決するための手段】
【０００６】
本発明の実施の形態の冷蔵庫は、冷蔵庫本体に設けられる貯蔵室と、前記貯蔵室に配置される下部容器と、前記下部容器の上に前後方向に移動自在に載せられる上部容器と、を有する。前記下部容器は、前記上部容器が前記下部容器に対し前後方向の基準位置にあるときに、前記上部容器を左右両側から挟持する挟持部を備えている。
【図面の簡単な説明】
【０００７】
【図１】本発明の実施形態に係わる冷蔵庫の正面図である。
【図２】図１の冷蔵庫の右側方から見た断面図である。
【図３】図１の冷蔵庫の野菜室に配置する下部野菜ボックスの斜視図である。
【図４】図３の下部野菜ボックスの上に上部野菜ボックスを載せた状態を示す側面図である。
【図５】図４の下部野菜ボックス及び上部野菜ボックスの左側から見た正面図である。
【図６】図４の下部野菜ボックス及び上部野菜ボックスの平面図である。
【図７】図６のＡ−Ａ断面図である。
【図８】図７のＢ部の拡大図である。
【図９】図３のＣ矢視図である。
【図１０】図９の平面図である。
【図１１】図６の上部野菜ボックスの被挟持突部周辺を示す平面視での断面図である。
【図１２】図１０の下部野菜ボックスに図１１の上部野菜ボックスを重ねた状態を示す平面図である。
【図１３】他の実施形態を示す、図１２に対応する平面図である。
【図１４】他の実施形態を示す、図１２に対応する平面図である。
【図１５】他の実施形態を示す、図１２に対応する平面図である。
【発明を実施するための形態】
【０００８】
以下、本発明の実施の形態を図面に基づき説明する。
【０００９】
図１、図２に示すように、本発明の実施形態に係わる冷蔵庫１は、冷蔵庫本体３の内部に貯蔵室として、上段から下段に向けて冷蔵室５及び野菜室７を順次設け、野菜室７の下部には製氷室９と上冷凍室１１とを左右に並べて設けてある。さらに、貯蔵室として、製氷室９及び上冷凍室１１の下部には、下冷凍室１３を設けてある。各貯蔵室は隔壁により仕切ってある。なお、以下の説明での「前後方向」は、図２中で左側の冷蔵庫前面側を前、右側の冷蔵庫裏面（奥）側を後とした前後方向であり、「左右方向」は図１中の冷蔵庫前面側から見て左右方向である。
【００１０】
冷蔵室５の前面には、冷蔵室５の前面開口部を開閉する左右の開閉扉１５，１７を設けている。左の開閉扉１５は、図１中で左側端部の図示しないヒンジを介して左右に開閉し、右の開閉扉１７は、図１中で右側端部の図示しないヒンジを介して左右に開閉する。
【００１１】
野菜室７、製氷室９、上冷凍室１１及び下冷凍室１３の各前面には、それぞれの前面開口部を開閉する引き出し式の引出扉１９，２１，２３及び２５を設けている。引出扉１９，２１，２３及び２５は、いずれも冷蔵庫本体３の図示しない各ガイドレールにガイドされて前後にスライド移動する。
【００１２】
冷蔵庫本体３の下冷凍室１３の後方下部には機械室２７を形成し、機械室２７に圧縮機２９を収容している。冷蔵庫本体３の後方の野菜室７の後側に、送風ダクト３１を形成し、送風ダクト３１の上部に冷蔵用冷気循環ファン３３を、下部に冷蔵室・野菜室用冷却器３５をそれぞれ配置している。さらに、冷蔵庫本体３の後方の製氷室９、上冷凍室１１及び下冷凍室１３の後側に、送風ダクト３７を形成し、送風ダクト３７の上部に冷凍用冷気循環ファン３９を、下部に冷凍室用冷却器４１をそれぞれ配置している。
【００１３】
冷蔵室・野菜室用冷却器３５及び冷凍室用冷却器４１は、圧縮機２９から供給される冷媒によって冷却される。冷蔵室５及び野菜室７は、冷蔵用冷気循環ファン３３と冷蔵室・野菜室用冷却器３５の動作により、それぞれ所定の設定温度に冷却して保持される。製氷室９、上冷凍室１１及び下冷凍室１３は、冷凍用冷気循環ファン３９と冷凍室用冷却器４１の動作により、それぞれ所定の設定温度に冷却して保持される。冷凍用冷気循環ファン３９付近の冷気流路内には、貯蔵室用ダンパ３９Ａを設けており、図示しない制御部は貯蔵室用ダンパ３９Ａの角度調整を行う。
【００１４】
野菜室７の引出扉１９は、野菜等の貯蔵物を収納する下部容器としての下部野菜ボックス４３を保持している。下部野菜ボックス４３の上には上部容器としての上部野菜ボックス４５を載せている。上部野菜ボックス４５は、下部野菜ボックス４３に比較して容積が小さい。
【００１５】
引出扉１９は、野菜室７側の後面の上部に、前後方向に延在する図示しない容器保持アームを、左右一対備えている。一方、図３〜図７に示す下部野菜ボックス４３の上端の左右両側には、左右両側方に向けて突出する被保持突部４３ａを、下部野菜ボックス４３の前後方向の略全長に設けている。引出扉１９の容器保持アームの上に被保持突部４３ａを載せることで、下部野菜ボックス４３が引出扉１９に保持される。この状態で、下部野菜ボックス４３は引出扉１９（容器保持アーム）から上方に持ち上げることで取り外すことができる。
【００１６】
下部野菜ボックス４３は、図３〜図７に示すように、下部底壁４７、下部前壁４９、下部後壁５１及び左右の下部側壁５３，５５を備えている。下部野菜ボックス４３は、これらの壁４７，４９，５１，５３，５５に囲まれた内側に下部収納空間５７が形成され、下部収納空間５７は、上方開口部５９が形成されて上方が開口している。上記した被保持突部４３ａは、左右の下部側壁５３，５５の上部に形成されている。
【００１７】
上部野菜ボックス４５は、上部底壁６１、上部前壁６３、上部後壁６５及び左右の上部側壁６７，６９を備えている。上部野菜ボックス４５は、これらの壁６１，６３，６５，６７，６９に囲まれた内側に上部収納空間７１が形成され、上部収納空間７１は上方開口部７３が形成されて上方が開口している。なお、図２に示す下部野菜ボックス４３及び上部野菜ボックス４５は、簡略化して示したもので、図３〜図７に示す下部野菜ボックス４３及び上部野菜ボックス４５とは形状が異なっている。
【００１８】
図３、図４に示すように、下部野菜ボックス４３の左右の下部側壁５３，５５の上部には、上部野菜ボックス４５が載せられる受部７５を設けている。下部側壁５３，５５は、受部７５よりも前側が、受部７５に対して上方に突出する側壁前部７６を備えている。側壁前部７６は、受部７５を備える部分の下部側壁５３，５５よりも上下方向の高さが高く、側壁前部７６の上端は下部前壁４９の上端と同一面である。受部７５の左右方向外側下部に前記した被保持突部４３ａが形成され、被保持突部４３ａは側壁前部７６にも形成されている。
【００１９】
上部野菜ボックス４５は、図７及び図７のＢ部を拡大した図８に示すように、左右の上部側壁６７，６９の上部底壁６１近傍に、外側に向けて突出する被受部７７を形成している。被受部７７は、上部底壁６１よりも上方で上部底壁６１の近傍に位置し、図４に示すように上部野菜ボックス４５の前側端部近傍と後側端部近傍との二箇所に設けてある。なお、被受部７７は、二箇所に限らず前後方向に断続的に三箇所以上あってもよい。
【００２０】
上部野菜ボックス４５の各被受部７７は、左右の側壁５３，５５の外面から左右外側に向けて突出した状態で、受部７５に載せられる。図４に示すように、前側端部近傍の被受部７７は下面に凹部７７ｋを備えており、凹部７７ｋに対応して受部７５は上面に凸部７５ｋを備えている。凹部７７ｋに凸部７５ｋが入り込むことで、図４に示すように、上部野菜ボックス４５の下部野菜ボックス４３に対する前後方向の基準位置が確保される。
【００２１】
上部野菜ボックス４５を下部野菜ボックス４３の上に載せた状態では、図７に示すように、上部野菜ボックス４５の上部底壁６１を含む下部が下部野菜ボックス４３の上方開口部５９から内部の下部収納空間５７に入り込む。このとき、下部収納空間５７に入り込んだ部分の上部野菜ボックス４５の下部の左右方向の幅（左右の上部側壁６７，６９の外側面相互間の幅）は、下部収納空間５７の上方開口部５９の左右方向の開口幅より小さい。
【００２２】
これにより、図８に示すように、下部野菜ボックス４３の上方開口部５９近傍の下部側壁５３，５５と、上部野菜ボックス４５の上部底壁６１近傍の上部側壁６７，６９との間に、隙間Ｓが形成される。隙間Ｓをある程度の大きさにすることで、上部野菜ボックス４５を下部野菜ボックス４３に対して前後方向に移動させつときの摺動性を確保できる。また、下部野菜ボックス４３及び上部野菜ボックス４５は、部品単品のサイズが比較的大きいことから、成形後の反りや食品を入れたときに変形しやすく、相互間の隙間を狭くすることが難しい。このため、ある程度の大きさの隙間Ｓを形成することで、部品単品の製造管理が容易となる。
【００２３】
図３のＣ矢視図である図９及び、図９の平面図である図１０に示すように、下部側壁５３，５５の側壁前部７６の後端は、上下方向に延びる縦壁７６ａとなっている。縦壁７６ａの後側の受部７５上に、挟持部としての挟持リブ７９を設けている。挟持リブ７９は、図９のように側面視で矩形状、図１０のように平面視で略直角三角形状である。挟持リブ７９は、図９のように上端面が縦壁７６ａの上端面と略同一面であり、前後方向の長さが、凸部７５ｋよも前側（縦壁７６ａ側）の受部７５の前後方向の長さよりもやや短い。すなわち、挟持リブ７９は、凸部７５ｋよりも前側の受部７５上に位置している。
【００２４】
挟持リブ７９は、図１０に示すように、外側面７９ａと前端面７９ｂと後端面７９ｃと内側傾斜面７９ｄと上面７９ｅとを備えている。外側面７９ａは受部７５の外側面と略同一面で、前端面７９ｂは縦壁７６ａと略同一面である。前端面７９ｂと後端面７９ｃとは互いに平行である。後端面７９ｃの左右方向の長さは、前端面７９ｂの左右方向の長さに比較して短い。
【００２５】
内側傾斜面７９ｄは、前端面７９ｂの内側端部７９ｂ１と後端面７９ｃの内側端部７９ｃ１とを結ぶように傾斜する平面である。この場合、内側傾斜面７９ｄは、内側端部７９ｃ１に対応する前側端部７９ｄ１が、内側端部７９ｂ１に対応する後側端部７９ｄ２よりも下部野菜ボックス４３の左右方向の外側（図１０中で上側）に位置する。挟持リブ７９は、内側傾斜面７９ｄの傾斜によって、内側面（内側傾斜面７９ｄ）が前側から後側に向かうに従って外側に徐々に拡がっている。
【００２６】
上部野菜ボックス４５は、図１１に示す前側の被受部７７の前側端部に、被挟持部としての被挟持突部８１を備えている。被挟持突部８１は、上部野菜ボックス４５が下部野菜ボックス４３に対して前後方向の基準位置にあるときに、図１０に示す挟持リブ７９の内側に入り込む。被挟持突部８１は、挟持リブ７９の内側傾斜面７９ｄに接触する外側傾斜面８１ａを備えている。外側傾斜面８１ａは、内側傾斜面７９ｄに接触する平面を備えている。
【００２７】
外側傾斜面８１ａは、後側の端部８１ａ１が前側の端部８１ａ２よりも上部野菜ボックス４５の左右方向の外側（図１１中で上側）に位置する。上部野菜ボックス４５は、外側傾斜面８１ａの後側の端部８１ａ１から左右方向の外側に延びる後側端面８１ｂを備え、外側傾斜面８１ａの前側の端部８１ａ２から左右方向の内側に延びる前側端面８１ｃを備えている。後側端面８１ｂと前側端面８１ｃとは互いに平行である。
【００２８】
図１１に示す被挟持突部８１の後側端面８１ｂと前側端面８１ｃとの間の前後方向の間隔ｔは、図１０に示す挟持リブ７９の前端面７９ｂと後端面７９ｃとの間の前後方向の間隔Ｔよりも短い。
【００２９】
図１２は、二点鎖線で示す上部野菜ボックス４５を、基準位置で下部野菜ボックス４３の上に載せた状態を示す。このとき、上部野菜ボックス４５の外側傾斜面８１ａに下部野菜ボックス４３の内側傾斜面７９ｄが押し付けるようにして接触する。図１２において、上部野菜ボックス４５の後側端面８１ｂと下部野菜ボックス４３の後端面７９ｃとの間に隙間が形成され、上部野菜ボックス４５の前側端面８１ｃと下部野菜ボックス４３の縦壁７６ａ（前端面７９ｂ）との間に隙間が形成される。
【００３０】
次に、上記した実施形態による作用効果を説明する。
【００３１】
本実施形態は、冷蔵庫本体３に設けられる野菜室７と、野菜室７に配置される下部野菜ボックス４３と、下部野菜ボックス４３の上に前後方向に移動自在に載せられる上部野菜ボックス４５と、を有する。下部野菜ボックス４３は、上部野菜ボックス４５が下部野菜ボックス４３に対し前後方向の基準位置にあるときに、上部野菜ボックス４５を左右両側から挟持する挟持リブ７９を備えている。
【００３２】
この場合、上部野菜ボックス４５は、下部野菜ボックス４３に対し前後方向の基準位置にあるときに、左右両側の挟持リブ７９が、被挟持突部８１を内側に向けて押し付けるようにして、下部野菜ボックス４３を左右両側から挟持する。これにより、上部野菜ボックス４５は、基準位置での特に左右方向のガタつきが抑えられる。そのため、上部野菜ボックス４５が基準位置にある状態で、引出扉１９を冷蔵庫本体３に対して出し入れするときに、上部野菜ボックス４５の特に左右方向のガタつきを抑えることができる。
【００３３】
本実施形態は、挟持リブ７９の内側傾斜面７９ｄが、前側から後側に向かうに従って左右方向の外側に拡がっている。この場合、上部野菜ボックス４５を、基準位置よりも後側に位置する状態から前側に移動させて基準位置とする際に、挟持リブ７９の内側傾斜面７９ｄが被挟持突部８１をガイドして円滑に基準位置とすることができる。このとき、被挟持突部８１は、挟持リブ７９の内側傾斜面７９ｄと同形状の外側傾斜面８１ａが内側傾斜面７９ｄにガイドされるので、上部野菜ボックス４５をより一層円滑に基準位置とすることができる。
【００３４】
図１２に示すように、上部野菜ボックス４５の後側端面８１ｂと下部野菜ボックス４３の後端面７９ｃとの間に隙間が形成され、上部野菜ボックス４５の前側端面８１ｃと下部野菜ボックス４３の縦壁７６ａ（前端面７９ｂ）との間に隙間が形成されている。これにより、上部野菜ボックス４５を、基準位置よりも後側に位置する状態から前側に移動させて基準位置としたときに、後側端面８１ｂの後端面７９ｃへの当接を抑え、前側端面８１ｃの縦壁７６ａへの当接を抑えている。その結果、挟持リブ７９の内側傾斜面７９ｄを、被挟持突部８１の外側傾斜面８１ａに対しより確実に押し付けることができる。
【００３５】
本実施形態は、挟持リブ７９が、下部野菜ボックス４３の下部側壁５３，５５の上部に一体化して形成されている。下部野菜ボックス４３に一体化した挟持リブ７９を設けるという簡素な構造で、基準位置にある上部野菜ボックス４５のガタつきを抑えることができる。
【００３６】
本実施形態の上部野菜ボックス４５は、下部野菜ボックス４３の上に載せた状態で下部が、下部野菜ボックス４３の上方開口部５９から内部に入り込み、下部野菜ボックス４３の内部に入り込んだ部分の上部野菜ボックス４５の下部の左右方向の幅は、下部野菜ボックス４３の上方開口部５９の左右方向の幅より小さい。
【００３７】
この場合、図８に示すように下部野菜ボックス４３の上方開口部５９近傍の下部側壁５３，５５と、上部野菜ボックス４５の上部底壁６１近傍の上部側壁６７，６９との間に、隙間Ｓが形成される。このため、上部野菜ボックス４５を、基準位置よりも後側に位置する状態から前側に移動させて基準位置とする際に、左右の挟持リブ７９によって被挟持突部８１を両側からより確実に押し付けることができる。
【００３８】
次に、他の実施形態について説明する。
【００３９】
図１３は、上部野菜ボックス４５Ａの被挟持突部８１Ａが、図１１に示したような外側傾斜面８１ａを備えておらず、外側傾斜面８１ａに代えて挟持リブ７９の外側面７９ａと略平行な外側面８１Ａａを設けている。上部野菜ボックス４５Ａの他の部分の形状は、図１１のものと略同等であり、同等の構成要素には同一符号を付してある。下部野菜ボックス４３は、挟持リブ７９を含めて図１０のものと同等である。
【００４０】
被挟持突部８１Ａの外側面８１Ａａを、挟持リブ７９の外側面７９ａと略平行にすることにより、被挟持突部８１Ａの前側端縁の外側角部８１Ａｂが、上部野菜ボックス４５Ａの基準位置で挟持リブ７９の内側傾斜面７９ｄに接触する。これにより、挟持リブ７９の内側傾斜面７９ｄが、上部野菜ボックス４５Ａの外側角部８１Ａｂを左右両側から押さえ付けるようにして挟持し、上部野菜ボックス４５の特に左右のガタつきを抑えることができる。
【００４１】
図１４は、図１３とは逆に、下部野菜ボックス４３Ｂの挟持リブ７９Ｂが、図１０に示したような内側傾斜面７９ｄを備えておらず、内側傾斜面７９ｄに代えて外側面７９ａと略平行な内側面７９Ｂａを設けている。下部野菜ボックス４３Ｂの他の部分の形状は、図１０のものと略同等であり、同等の構成要素には同一符号を付してある。上部野菜ボックス４５は、被挟持突部８１を含めて図１１のものと同等である。
【００４２】
挟持リブ７９Ｂの内側面７９Ｂａを外側面７９ａと略平行にすることにより、上部野菜ボックス４５の基準位置で、上部野菜ボックス４５の外側傾斜面８１ａが挟持リブ７９Ｂの後側端縁の内側角部７９Ｂｂに接触する。内側角部７９Ｂｂは、後端面７９ｃと内側面７９Ｂａとの交差部に相当する。これにより、挟持リブ７９Ｂの内側角部７９Ｂｂが、上部野菜ボックス４５の外側傾斜面８１ａを左右両側から押さえ付けるようにして挟持し、上部野菜ボックス４５の特に左右のガタつきを抑えることができる。
【００４３】
図１５は、下部野菜ボックス４３Ｃの挟持リブ７９Ｃの内側傾斜面７９Ｃｄを、左右方向の内側が凹となるような湾曲面としている。内側傾斜面７９Ｃｄの湾曲面は前後方向に沿って湾曲している。下部野菜ボックス４３Ｃの他の形状は図１０のものと同等であり、同等の構成要素には同一符号を付してある。
【００４４】
挟持リブ７９Ｃの内側傾斜面７９Ｃｄの湾曲形状に合わせて、上部野菜ボックス４５Ｃにおける被挟持突部８１Ｃの外側傾斜面８１Ｃａを、左右方向の外側が凸となるような湾曲面としている。外側傾斜面８１Ｃａの湾曲面は前後方向に沿って湾曲している。上部野菜ボックス４５Ｃの他の形状は図１１のものと同等であり、同等の構成要素には同一符号を付してある。
【００４５】
図１５の例は、挟持リブ７９Ｃの湾曲形状の内側傾斜面７９Ｃｄが、上部野菜ボックス４５Ｃの湾曲形状の外側傾斜面８１Ｃａを左右両側から押さえ付けるようにして挟持し、上部野菜ボックス４５の特に左右のガタつきを抑えることができる。
【００４６】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００４７】
例えば、図１５に例において、挟持リブ７９Ｃの内側傾斜面７９Ｃｄを左右方向の内側が凸となるような湾曲面とし、上部野菜ボックス４５Ｃの外側傾斜面８１Ｃａを左右方向の外側が凹となるような湾曲面としてもよい。また、図１３の挟持リブ７９の内側傾斜面７９ｄを、図１５の内側傾斜面７９Ｃｄのような湾曲面としてもよく、図１４の外側傾斜面８１ａを、図１５の外側傾斜面８１Ｃａのような湾曲面としてもよい。
【００４８】
要するに、上部野菜ボックス４５の基準位置において、左右一対の挟持リブ７９が、上部野菜ボックス４５の被挟持突部８１を、左右両側から抱え込むようにして左右方向の内側に向けて押さえ付ける構造であればよい。
【００４９】
上記した各実施形態では、野菜室７の下部野菜ボックス４３，４３Ｂ，４３Ｃ及び上部野菜ボックス４５，４５Ａ，４５Ｃについて説明したが、他の冷凍室や冷蔵室などの貯蔵室に下部容器及び上部容器を配置したものについても本発明を適用できる。
【符号の説明】
【００５０】
１  冷蔵庫
３  冷蔵庫本体
７  野菜室（貯蔵室）
４３，４３Ｂ，４３Ｃ  下部野菜ボックス（下部容器）
４５，４５Ａ，４５Ｃ  上部野菜ボックス（上部容器）
５３，５５  下部野菜ボックスの下部側壁（下部容器の側壁）
５９  下部野菜ボックスの上方開口部
７９，７９Ｂ，７９Ｃ  挟持リブ（挟持部）
８１，８１Ａ，８１Ｃ  被挟持突部（被挟持部）
【図１】
2018204931.tif 000003
【図２】
2018204931.tif 000004
【図３】
2018204931.tif 000005
【図４】
2018204931.tif 000006
【図５】
2018204931.tif 000007
【図６】
2018204931.tif 000008
【図７】
2018204931.tif 000009
【図８】
2018204931.tif 000010
【図９】
2018204931.tif 000011
【図１０】
2018204931.tif 000012
【図１１】
2018204931.tif 000013
【図１２】
2018204931.tif 000014
【図１３】
2018204931.tif 000015
【図１４】
2018204931.tif 000016
【図１５】
2018204931.tif 000017